(57)【特許請求の範囲】
【請求項１】
取付対象面に固定される固定部、該固定部の側縁を上方へ折り曲げた内側起立部を備える下方部材と、外側起立部、その上端から該外側起立部に対して前記固定部と同じ側へ延出する押さえ部を備える上方部材からなると共に、内側起立部と外側起立部とを沿わせた起立部は締着手段によって連結固定することが可能であり、パネルを敷設した後にそのパネルの厚みに応じて締着することを特徴とするパネル保持具。
【請求項２】
起立部は、傾斜片状であることを特徴とする請求項１に記載のパネル保持具。
【請求項３】
押さえ部は、固定部より幅広であることを特徴とする請求項１又は２に記載のパネル保持具。
【請求項４】
取付対象面に請求項１〜３の何れか一項に記載のパネル保持具を用いてパネルを取り付けてなることを特徴とするパネル保持具を用いた外装構造。
【請求項５】
取付対象面上に溝部を有するレール材を配すると共に、レール材と当該保持具が、スライド可能なことを特徴とする請求項４に記載のパネル保持具を用いた外装構造。
【発明の詳細な説明】
【技術分野】
【０００１】
本発明は、各種の太陽電池パネルや緑化パネル等の設置に対応でき、一種の保持具にて、取り付けるパネルの厚みに応じて容易に高さ調整して保持することができるパネル保持具及びそれを用いた外装構造に関する。
【背景技術】
【０００２】
従来、太陽電池モジュールの周縁にフレーム材を配することでパネル化（太陽電池パネルを形成）し、当該パネルを屋根や壁等に取り付ける様々な態様が提案されている
一方で、太陽電池パネルは、その製造メーカーや用途に応じて様々なサイズ（１枚の大きさや厚さ）が製造されるため、フレーム材等の固定部材や方法等もそのパネル毎にそれぞれ異なり、非常に手間のかかるものである。
【０００３】
例えば特許文献１に提案される取り付け金具及び取り付け構造では、その図３に示されるように略逆ハット状の「押さえ金具８」で太陽電池パネル等の屋根上設置物（太陽電池モジュール７）の端部を押さえている。
【先行技術文献】
【特許文献】
【０００４】
【特許文献１】特開２００９−１８５５９９号公報
【発明の概要】
【発明が解決しようとする課題】
【０００５】
しかしながら、前記特許文献１の構造では、太陽電池パネル等の屋根上設置物の厚みに併せて高さを変えた押さえ金具（高さの異なる複数種類の押さえ金具）を用意しなければならず、製造コストの問題や部材管理の煩雑さが問題となっていた。
【０００６】
そこで、本発明は、各種の太陽電池パネルや緑化パネル等の設置に対応でき、一種の保持具にて、取り付けるパネルの厚みに応じて容易に高さ調整して保持することができるパネル保持具及びそれを用いた外装構造を提案することを目的とする。
【課題を解決するための手段】
【０００７】
本発明は、上記に鑑み提案されたもので、取付対象面に固定される固定部、該固定部の側縁を上方へ折り曲げた内側起立部を備える下方部材と、外側起立部、その上端から該外側起立部に対して前記固定部と同じ側へ延出する押さえ部を備える上方部材からなると共に、内側起立部と外側起立部とを沿わせた起立部は締着手段によって連結固定することが可能であり、パネルを敷設した後にそのパネルの厚みに応じて締着することを特徴とするパネル保持具に関するものである。
なお、本発明のパネル保持具によって保持するパネルは、主として太陽電池パネルであるが、緑化パネル等であってもよく、また取付対象面とは、躯体（ＲＣ他）であってもよいし、躯体上にレール材等を配したものでもよく、既存屋根等に支持部材又はレール材等を配したものであってもよく、特に限定するものではない。
【０００８】
また、本発明は、前記パネル保持具において、起立部は、傾斜片状であることを特徴とするパネル保持具をも提案する。
また、本発明は、前記パネル保持具において、押さえ部は、固定部より幅広であることを特徴とするパネル保持具をも提案する。
【０００９】
さらに、本発明は、取付対象面に前記パネル保持具を用いてパネルを取り付けてなることを特徴とするパネル保持具を用いた外装構造をも提案するものである。
【００１０】
また、本発明は、前記パネル保持具を用いた外装構造において、取付対象面上に溝部を有するレール材を配すると共に、レール材と当該パネル保持具が、スライド可能なことを特徴とする外装構造をも提案する。
【発明の効果】
【００１１】
本発明のパネル保持具は、取り付ける太陽電池パネルや緑化パネル等の厚みに応じて容易に高さ調整して保持することができる。そのため、従来技術のように高さが異なる複数種類の部材を用意する必要が無く、一種のパネル保持具にて確実に且つ容易に多種のパネルの保持に適用することができる。
また、パネル保持具が上方部材と下方部材とから構成されると共に、起立部において締着手段によって連結固定されているので、具体的には上方部材又は下方部材の何れか一方又は両方に高さ方向の長孔を設けて該長孔を貫通した状態で締着具にて上方部材及び下方部材を連結するという極めて簡単な構成を採用すればよく、上方部材を任意の高さにスライドさせて締着固定することができる。
【００１２】
また、起立部が傾斜片状である場合には、電動工具での作業（締着具の締め付け）が容易になる。
【００１３】
また、押さえ部が、固定部より外側に延出している、即ち固定部より幅広である場合には、隣接するパネル間に配された際に一つの押さえ部にて二つのパネルの端縁を押さえることができる。
【００１４】
さらに、取付対象面に前記パネル保持具を用いてパネルを取り付けてなる外装構造は、厚みの異なる種々のパネルに対し、一種の保持具にてパネルの厚みに応じて容易に高さ調整して保持することができ、高さの異なる複数種類の保持具を用意する必要がないものである。
【００１５】
また、取付対象面上に溝部を有するレール材を配すると共に、レール材と当該パネル保持具がスライド可能な場合、使用する各種パネルの縦横寸法に応じてレール材にて当該パネル保持具をスライド移動させることができ、しかも使用する各種パネルの厚みに応じて高さ調整して保持することができるので、使用するパネルの縦寸法及び横寸法、更には厚み寸法にも容易に調整して保持させることができる。
【図面の簡単な説明】
【００１６】
【図１】（ａ）第１実施例のパネル保持具をレール材（取付対象面）に取り付けた外装構造を示す正断面図、（ｂ）そのパネル保持具にて隣接する二つのパネルのそれぞれの端縁を押さえた状態を示す平面図、（ｃ）前記態様に対して９０度回転させてパネル金具を取り付けた外装構造を示す正断面図、（ｄ）そのパネル保持具にて一つのパネルの端縁のみを押さえた状態を示す平面図である。
【図２】（ａ）第１実施例のパネル保持具を示す平面図、（ｂ）その正断面図、（ｃ）上方部材の平面図、（ｄ）その正面図、（ｅ）下方部材の平面図、（ｆ）その正断面図、（ｇ）その側断面図である。
【図３】（ａ）第１実施例のパネル保持具にて薄型（厚さＸ）の太陽電池パネルを保持した状態を示す正断面図、（ｂ）その側断面図、（ｃ）第１実施例のパネル保持具にて厚型（厚さＹ）の太陽電池パネルを保持した状態を示す正断面図、（ｄ）その側断面図である。
【図４】（ａ）第２実施例のパネル保持具をレール材（取付対象面）に取り付ける手順において下方部材を取り付ける直前の状態を示す正断面図、（ｂ）下方部材を取り付けた状態を示す正断面図、（ｃ）さらに上方部材を取り付けた状態を示す正断面図、（ｄ）その平面図である。
【図５】（ａ）第１実施例のパネル保持具を用いた外装構造におけるレール材（取付対象面）を示す正断面図、（ｂ）〜（ｅ）他のレール材を示す正断面図、（ｆ）レール材の溝部をスライド調整可能な取付具を示す平面図、側面図、正面図である。
【発明を実施するための形態】
【００１７】
本発明のパネル保持具は、取付対象面に固定される固定部と、該固定部から上方へ立設する起立部と、該起立部から水平方向に延出する押さえ部とを有し、前記起立部は高さ調整可能なことを特徴とする。
【００１８】
前記パネル保持具は、単一部材で構成されるものでもよいし、複数部材で構成される、例えば後述する図示実施例のように上方部材と下方部材とからなる複数部材からなる構成でもよい。
また、このパネル保持具は、後述する図示実施例のように押さえ部を内側（起立部に対して固定部と同じ側）に延出した断面視略コ字状に限定するものではなく、押さえ部を外側（起立部に対して固定部とは逆側）に延出した断面視略Ｚ字状であってもよい。
【００１９】
前記パネル金具の固定部は、取付対象面と固定する部分であって、その固定は、後述する図示実施例のようにボルトナットによる締着でもよいし溶接、ビス止め等であってもよいが、図示実施例のように取付対象面として上方が開放する溝部を有するレール材を用いる場合のようにスライド機能を有する固定方法が極めて有用である。
【００２０】
前記パネル金具の起立部は、鉛直状の縦片であっても、内側又は外側に傾斜するものであってもよく、また高さ調整可能であれば、特にその形状は限定するものではない。例えば図示実施例のように傾斜片状の起立部とすることにより、電動工具での作業（締着具の締め付け）が容易になる。
この起立部に設けられる高さ調整可能な構成とは、後述する図示実施例では、上方部材と下方部材とが、起立部において締着手段によって連結固定されている構成であり、より具体的には上方部材と下方部材の何れか一方又は両方に高さ方向に長孔を設けて該長孔を貫通した状態で締着具にて上方部材及び下方部材を連結するという極めて簡単な構成とすることができる。
【００２１】
前記パネル金具の押さえ部は、内側、外側の何れか一方に延在するものでも両方に延在するものでもよい。
また、この押さえ部は、その下方に延在する前記起立部や前記固定部と略同幅であってもよいし、固定部より外側に延出している（＝固定部より幅広である）ものであってもよい。後者の態様は、後述する図示実施例に示すように隣接するパネルの間に当該パネル保持具を配する場合に好適であり、予め配設するパネル間の間隔と一致するように固定部の幅を形成しておき、この固定部の各側縁に沿うようにパネルを位置決めして配設することができ、一つの押さえ部にて隣接する二つのパネルの端縁を押さえることができる。
【００２２】
前述のようにパネル保持具によって保持するパネルは、主として太陽電池パネル（太陽エネルギー変換モジュールと、その周縁を囲むフレーム材とからなる太陽電池パネル）であるが、緑化パネルや採光パネル等であってもよく、或いはそれら複数種のパネルを併用する構成でもよい。
【００２３】
また、前述のように取付対象面は、躯体（ＲＣ他）であってもよいし、躯体上に上方が開放する溝部を有する各種のレール材（桟部材）等を配したものでもよく、既存屋根等に支持部材又はレール材等を配したものであってもよく、新設、既設を問うものではない。即ち取付対象面は、当該パネル保持具を固定可能であれば、その態様を限定するものではない。
なお、前記レール材（桟部材）を配設する場合、縦方向、横方向の何れの方向に配するものであってもよい。このレール材の溝部には、六角ボルト等の取付ボルトの頭部を嵌入した状態で長さ方向に位置調整することができ、該取付ボルトにナットを締め付けることにより、当該位置に固定することができる。このように取付対象面として、溝部を有するレール材（桟部材）は、位置調整を任意に行うので、好適に使用し得るものである。
【００２４】
そして、本発明のパネル保持具は、取り付ける太陽電池パネルや緑化パネル等の厚みに応じて容易に高さ調整して保持することができる。そのため、従来技術のように高さが異なる複数種類の部材を用意する必要が無く、一種のパネル保持具にて確実に且つ容易に多種のパネルの保持に適用することができる。
【実施例】
【００２５】
本発明のパネル保持具１は、取付対象面（レール材２Ａの頂部２２）に固定される固定部１１と、該固定部１１から上方へ立設する起立部１２と、該起立部１２から水平方向に延出する押さえ部１３とを有し、前記起立部１２は高さ調整可能に形成されており、図１（ａ）及び図２（ａ），（ｂ）に示す第１実施例では上方部材１Ａと下方部材１Ｂとからなる複数部材からなり、上方部材１Ａ（外側起立部１２ａ）及び下方部材１Ｂ（内側起立部１２ｂ）の両方に高さ方向の長孔１２１，１２２を設けて該長孔１２１，１２２を貫通した状態で締着具１ｃ，１ｄにて上方部材１Ａ及び下方部材１Ｂを連結するという構成を採用した。
【００２６】
前記第１実施例のパネル金具１を構成する下方部材１Ｂは、図２（ｅ），（ｆ）に示すように断面視略Ｌ字状に成形され、略正方形状の固定部１１の略中央に、取付対象面として用いられる後述するレール材２Ａに取り付けられる取付ボルト２ｚが貫通する通孔が設けられている。
また、前記固定部１１の前後縁には狭幅で切り込み、下方へ折り曲げた係止片１１１，１１１が設けられ、その一方の側縁を上方へ傾斜状に折り曲げて内側起立部１２ｂが形成され、その上端を内側へ略直角状に折り曲げて共周り防止片１４を形成している。
前記内側起立部１２ｂには、高さ方向に長孔１２２が形成され、ボルト１ｃが貫通した状態でスライド移動できる大きさに形成されている。
前記係止片１１１は、取付対象面として用いられるレール材２Ａの溝部２１に上方から嵌入して左右方向へのズレを防止する。
また、前記共周り防止片１４は、図示するようにボルト１ｃの頭部に沿うために締着ナット１ｄの締め付けに際して共周りすることがなく締め付け（締着）作業を容易に行うことができる。
【００２７】
前記第１実施例のパネル金具１を構成する上方部材１Ａは、図２（ｃ），（ｄ）に示すように略厂字状に成形され、傾斜縦片状の外側起立部１２ａと、その上端から内側（起立部に対して固定部１１と同じ側）へ延出する押さえ部１３とを有する構成である。
前記外側起立部１２ａには、高さ方向に長孔１２１が形成され、締着ボルト１ｃが貫通した状態でスライド移動できる大きさに形成されている。
【００２８】
そして、前記上方部材１Ａと下方部材１Ｂとを連結するには、下方部材１Ｂの内側起立部１２ｂの長孔１２２にボルト１ｃを内側から挿入した状態で、内側起立部１２ｂの外側に外側起立部１２ａが沿うように上方部材１Ａを臨ませると共にボルト１ｃを長孔１２１に挿入させ、共周り防止片１４にボルト１ｃの頭部を沿わせる。
この状態で、上方部材１Ａを上方へスライドさせて所望の位置にて締着ナット１ｄを回転（締め付け）させることにより、前述のように共周り防止片１４がボルト１ｃの共周りを防止するので、締め付け作業が容易に行われてパネル金具１が一体化されると共に、上方部材１Ａの押さえ部１３を任意の高さに固定することができる。
なお、締着ナット１ｄの締め付けは、特に限定するものではないが、電動工具を用いて行うことが多く、その際に起立部１２が鉛直方向から傾斜しているので、容易に電動工具の締め付けを行うことができる。
【００２９】
上方部材１Ａを上方へスライドさせて押さえ部１３を所望の位置に調整するのは、保持するパネルの厚みに応じて行うのであるが、図３にその具体的な二例を示した。
即ち図３（ａ），（ｂ）は、厚みＸである薄型タイプの太陽電池パネル６Ｂを保持する例であり、図３（ｃ），（ｄ）は、厚みＹである厚型タイプの太陽電池パネル６Ｃを保持する例であり、何れの例でも前述の第１実施例のパネル保持具１を用いて保持したものであり、隣接する太陽電池パネル６Ｂ，６Ｂ（又は６Ｃ，６Ｃ）の端縁を、一つの固定部１１より外側に延出している（＝固定部より幅広である）押さえ部１３にて押さえる（保持する）ことができる。なお、図中、最小の厚みＸに調整したパネル保持具１をそのまま「１」と表記し、最大の厚みＹに調整したパネル保持具１を「１'」と表記して区別した。
この例からも明らかなように、太陽電池パネル６Ｂ，６Ｃの厚みとは、太陽エネルギー変換モジュール自体６０ｂ，６０ｃの厚みではなく、その周縁を囲むフレーム６１ｂ，６１ｃを含めた厚みであって、前述のように製造メーカーや用途に応じて様々なサイズが製造されているが、これらの各種パネル６Ｂ，６Ｃに対して本発明は、一つのパネル保持具１にて容易に高さ調整して保持することができる。
【００３０】
前記図１に示した外装構造は、下地５上に取り付けた保持部材４と、左右に隣接する外装材３，３と、キャップ材７と、取付基材として中央に溝部２１を有するレール材２Ａとからなる構成であり、略門状に成形されたレール材２Ａの略平坦状の頂部２２が前記パネル保持具１を取り付ける取付対象面となっている。
レール材２Ａの溝部２１には、取付ボルト２ｚの頭部が嵌入状に取り付けられ、この状態では溝部２１の長さ方向に位置調整することができる。そのため、この取付ボルト２ｚの雄ネジ部分に下方部材１Ｂ（固定部１１）を配した（貫通させた）状態でパネル保持具１の取付位置を調整できる。そして、パネル６Ａに対するパネル保持具１（押さえ部１３）の位置を特定した時点で、取付ボルト２ｚの先端に取付ナット２ｙを取り付け、強固に締め付ければ、レール材２Ａ（溝部２１）と取付ボルト２ｚ（取付ナット２ｙ）と下方部材１Ｂ（固定部１１）とが一体的に固定され、その後のズレも防止される。
【００３１】
前記保持部材４は、下地５上に固定する下方保持部材４Ｂと、外装材３，３を取り付けた後に配設する上方保持部材４Ａとから構成され、下地５上に固定した下方保持部材４Ｂに、左右に隣接する外装材３，３の立上り部３２，３２を沿わせ（弾性係合し）た状態で上方保持部材４Ａを被せるように配設（弾性連結）して立上り部３２，３２を挟着状に保持し、更にキャップ材７を上方から嵌め付け（弾性嵌合し）た後、レール材２Ａを弾性的に嵌合させて取り付けて施工した。
【００３２】
前記図３に示す具体例は、前記図１（ｂ）に示した隣接するパネル６Ａ，６Ａの間に当該パネル保持具１を配する態様（＝隣接する二つのパネルを一つの押さえ部にて保持する態様）に相当する。この態様は、パネル保持具１の取付については、前述のとおりに行うが、固定部１１の前後の端縁に隣接する太陽電池パネル６Ａ，６Ａの各端縁を沿わせるように配設した。即ち固定部１１の前後の端縁を太陽電池パネル６Ａ，６Ａの位置決めに用いたものである。
【００３３】
一方、図１（ｃ），（ｄ）に示す態様は、最も外側に配置される太陽電池パネル６Ｄを保持するケース（＝一つのパネルを一つの押さえ部にて保持する態様）に相当する。この態様では、パネル保持具１の取付については、前記態様に対して９０度回転させて取り付けた。即ちレール材２Ａの頂部に対し、パネル保持具１の固定部１１を９０度回転させて固定した。
そして、レール材２Ａの固定部１１の起立部１２を形成しない側の側端縁に、太陽電池パネル６Ｄの端縁を沿わせるように配設した。即ち固定部１１の一方の側端縁を太陽電池パネル６Ｄの位置決めに用いたものである。
【００３４】
このように前記第１実施例のパネル保持具１は、その押さえ部１３が固定部１１より外側に延出している（＝固定部より幅広である）ので、図１（ａ），（ｂ）に示すように隣接する二つのパネル６Ａ，６Ａの端縁を押さえる態様にも、図１（ｂ），（ｄ）に示すように一つのパネル６Ｄの端縁を押さえる態様にも併用することができる。
【００３５】
図４は、前記第１実施例におけるパネル保持具１の共周り防止片１４を設けていない構成の第２実施例のパネル保持具１"を、取付対象面（レール材２Ａ）に固定する手順を示す。
【００３６】
まず、図４（ａ）に示すように、レール材２Ａの溝部２１に、取付ボルト２ｚの頭部を嵌入しておき、この状態で溝部２１の長さ方向に取付ボルト２ｚをスライドさせて位置調整しておいてもよい。
【００３７】
次に、図４（ｂ）に示すようにパネル保持具１"を構成する下方部材１Ｂ"を上方から臨ませ、固定部１１の略中央に設けた通孔に取付ボルト２ｚが貫通するように配設し、長さ方向に位置調整して取付ナット２ｙを締め付けて固定する。その際、固定部１１の前後縁に設けられた係止片１１１，１１１を溝部２１内に嵌入させる点などは前記第１実施例と同様であるが、この第２実施例の下方部材１Ｂ"には前述のように共周り防止片１４が設けられない代わりにナット１ｅが溶接等にて内側起立部１２ｂの長孔１２２と連通するように内面側に接合されている。
【００３８】
その後、図４（ｃ）に示すように上方部材１Ａ"を上方から臨ませ、下方部材１Ｂ"の内側起立部１２ｂの外側に外側起立部１２ａを沿わせる。
そして、上方部材１Ａ"を上方へスライドさせて所望の位置に調整した状態で、外側から締着ボルト１ｆを臨ませ、上方部材１Ａ"の長孔１２１及び下方部材１Ｂ"の長孔１２２を貫通させて締着ボルト１ｆを締め付けることにより、パネル金具１"が一体化されると共に、上方部材１Ａ"の押さえ部１３を任意の高さに固定することができる。
【００３９】
これらの第１実施例でも第２実施例でも、図５（ａ）に示す上方が開放する溝部２１を有するレール材２Ａを用いたが、既に説明したようにその略平坦状の頂部２２が取付対象面であり、その略中央に形成される溝部２１には、図５（ｆ）に示す取付ボルト２ｚの頭部が嵌入状に取り付けられ、前記パネル保持具１の下方部材１Ｂ（固定部１１）を貫通させた状態で位置調整が可能であり、取付ナット２ｙを強固に締め付けることにより、その後のズレ（スライド移動）を防止できるものである。したがって、このようなレール材２Ａを縦方向（水流れ方向）に配した場合には、水流れ方向の任意の箇所に位置調整でき、横方向（桁行き方向）に配した場合には、桁行き方向の任意の箇所に位置調整できる。
図５（ｂ）、（ｃ）に示すレール材２Ｂ、２Ｂは、前記レール材２Ａの他の態様を示すものであり、それぞれ取付対象面となる略平坦状の頂部２２を有し、その略中央に溝部２１を備え、左右に下方に向かって広がる脚片２３，２３を有し、該脚片２３の下端付近には内側上方へ向く係止片２３１が設けられている。なお、この係止片２３１は、前記図１及び図４に示すように下地５上に形成される突出状部分に形成される凹部に弾性嵌合する構成である。
そして、これらのレール材（桟材）２Ａ〜２Ｃは、前記図１や前記図４に示すような下地５上に突出状部分が施工される外装構造にカバー材（キャップ状被覆材）として用いられる部材である。
【００４０】
図５（ｄ）に示すレール材（桟材）２Ｄは、左右の略台状部分２４，２４に前記太陽電池パネル６Ａ〜６Ｃのフレーム材６１ａ〜６１ｃを載置する支持材として用いられる部材である。なお、このレール材２Ｄにおける取付対象面としては、図示するように溝部２１の縁部を用いることが多いが、特に限定するものではなく例えば前記略台状部分２４，２４を用いてもよい。
【００４１】
図５（ｅ）に示すレール材（桟材）２Ｅは、略矩形状の断面を有する支持材であり、頂部２２に上方が開放する溝部２１を有する点は他のレール材２Ａ〜２Ｄと同様であるが、その側面２５に側方が開放する溝部２６を備えている点が異なる。
この溝部２６も、前記溝部２１と同様に、取付ボルト２ｚを嵌入させた状態で長さ方向に位置調整することができる。この場合、前記溝部２１には、上向きに延在する取付ボルト２ｚと横方向に延在する固定部１１を取り付けて位置調整したが、前記溝部２６には、取付ボルト２ｚを横向きに取り付け、縦方向に延在する取付部を配して位置調整する点が異なるだけで、同様に溝部の長さ方向の任意の箇所に位置調整することができる。
【符号の説明】
【００４２】
１，１'，１"  パネル保持具
１Ａ，１Ａ'  上方部材
１Ｂ，１Ｂ"  下方部材
１ｃ  ボルト
１ｄ  締着ナット
１１  固定部
１２  起立部
１３  押さえ部
１４  共周り防止片
２Ａ〜２Ｅ  レール材
２ｙ  取付ナット
２ｚ  取付ボルト
２１  溝部
３  外装材
４  保持部材
４Ａ  上方保持部材
４Ｂ  下方保持部材
５  下地
６Ａ〜６Ｄ  太陽電池パネル
６１ａ〜６１ｃ  フレーム
【図１】
0005534454.tif 000002
【図２】
0005534454.tif 000003
【図３】
0005534454.tif 000004
【図４】
0005534454.tif 000005
【図５】
0005534454.tif 000006